(57)【特許請求の範囲】
【請求項１】
車両に設置される車載端末と、前記車載端末と通信可能に接続されているサーバとを備えた抽出システムであって、
前記車載端末は、
前記車両が走行した場合の、当該車両が走行した場所の勾配を示す勾配情報を取得する取得部と、
取得された前記勾配情報を前記サーバに送信する送信部とを含み、
前記サーバは、
前記車載端末から送信された前記勾配情報に基づいて、経時変化量が所定値を超える勾配情報に対応する場所を抽出する抽出部を含む
ことを特徴とする抽出システム。
【請求項２】
車載端末は、前記車載端末の加速度を計測する加速度計測部を含み、
前記加速度計測部は、車両が走行している時に計測された垂直方向の加速度に基づいて、所定の位置から前記車載端末までの距離を算出し、
取得部は、前記距離に基づいて勾配情報を取得する
請求項１記載の抽出システム。
【請求項３】
加速度計測部は、車両が走行している時に計測された垂直方向の加速度に基づいて、当該車両が走行した場所の路面から車載端末までの高さを前記場所における絶対高として算出し、
取得部は、傾斜している場所における絶対高と平らな場所における絶対高とを用いて勾配情報を取得する
請求項２記載の抽出システム。
【請求項４】
車載端末は、車両が走行した場所の路面から前記車両の車体下部までの距離である相対車高を計測する距離計測部を含み、
前記距離計測部は、傾斜している場所で計測された相対車高と平らな場所で計測された相対車高との差分を取得し、
取得部は、勾配情報を取得する際に前記差分が減算された前記傾斜している場所における絶対高を用いる
請求項３記載の抽出システム。
【請求項５】
車載端末は、車両の進行方向の映像を撮影する撮影部を含み、
前記撮影部は、前記車両が走行している時に撮影された映像から、当該映像が撮影された場所で垂直方向に移動した画素の移動量を算出し、
取得部は、勾配情報を取得する際に前記移動量が減算された絶対高を用いる
請求項３記載の抽出システム。
【請求項６】
取得部は、勾配情報を取得する際に移動平均処理が実施された絶対高を用いる
請求項３記載の抽出システム。
【請求項７】
車載端末は、前記車載端末の加速度を計測する加速度計測部と、車両の前後方向の傾きを計測する姿勢計測部とを含み、
取得部は、車両が走行した際に計測された前記傾きの情報のうち、計測された前記加速度が０である期間に計測された前記傾きの情報を勾配情報として取得する
請求項１記載の抽出システム。
【請求項８】
サーバは、抽出された場所の情報を表示する表示部を含む
請求項１から請求項７のうちのいずれか１項に記載の抽出システム。
【請求項９】
表示部は、抽出された場所の情報と、前記抽出された場所の勾配情報の経時変化量に対応する内容を併せて表示する
請求項８記載の抽出システム。
【請求項１０】
表示部は、抽出された場所を、地図上に強調して表示する
請求項８または請求項９記載の抽出システム。
【請求項１１】
車両に設置された車載端末と通信可能に接続されている抽出サーバであって、
前記車載端末から送信された、前記車両が走行した場合の、当該車両が走行した場所の勾配を示す勾配情報に基づいて、経時変化量が所定値を超える勾配情報に対応する場所を抽出する抽出部を含む
ことを特徴とする抽出サーバ。
【請求項１２】
抽出された場所の情報を表示する表示部を含む
請求項１１記載の抽出サーバ。
【請求項１３】
表示部は、抽出された場所の情報と、前記抽出された場所の勾配情報の経時変化量に対応する内容を併せて表示する
請求項１２記載の抽出サーバ。
【請求項１４】
表示部は、抽出された場所を、地図上に強調して表示する
請求項１２または請求項１３記載の抽出サーバ。
【請求項１５】
車両に設置される車載端末と、前記車載端末と通信可能に接続されているサーバとを備えた抽出システムにおいて実行される抽出方法であって、
前記車載端末は、前記車両が走行した場合の、当該車両が走行した場所の勾配を示す勾配情報を取得し、
前記車載端末は、取得された前記勾配情報を前記サーバに送信し、
前記サーバは、前記車載端末から送信された前記勾配情報に基づいて、経時変化量が所定値を超える勾配情報に対応する場所を抽出する
ことを特徴とする抽出方法。
【請求項１６】
車両に設置された車載端末と通信可能に接続されている抽出サーバにおいて実行される抽出方法であって、
前記車載端末から送信された、前記車両が走行した場合の、当該車両が走行した場所の勾配を示す勾配情報に基づいて、経時変化量が所定値を超える勾配情報に対応する場所を抽出する
ことを特徴とする抽出方法。
【請求項１７】
車両に設置された車載端末と通信可能に接続されているコンピュータにおいて実行される抽出プログラムであって、
前記コンピュータに、
前記車載端末から送信された、前記車両が走行した場合の、当該車両が走行した場所の勾配を示す勾配情報に基づいて、経時変化量が所定値を超える勾配情報に対応する場所を抽出する抽出処理
を実行させるための抽出プログラム。
【発明の詳細な説明】
【技術分野】
【０００１】
本発明は、抽出システム、抽出サーバ、抽出方法、および抽出プログラムに関し、特に車両が走行した場所の状態を把握できる抽出システム、抽出サーバ、抽出方法、および抽出プログラムに関する。
【背景技術】
【０００２】
橋梁の劣化が、全国で深刻な問題として生じている。橋梁が劣化しているか否かを確認するために、橋梁に関するデータを取得し、取得されたデータを解析する技術が特許文献１〜２に記載されている。
【０００３】
特許文献１には、橋梁を長期的に監視できる橋梁の計測システムが記載されている。特許文献１に記載されている橋梁の計測システムは、橋梁の複数の部位に位置対応して配置される複数のセンサが含まれるセンサ群を構成する。センサには、部位の物理量を計測する計測器部分が含まれる。
【０００４】
特許文献２には、橋梁または高架橋の橋脚の健全性を評価する評価装置が記載されている。特許文献２に記載されている評価装置は、橋脚上に配置される加速度センサと、加速度センサで得られた情報を解析する解析部と、解析部で解析された情報を送信する送信部とを備える。
【先行技術文献】
【特許文献】
【０００５】
【特許文献１】特開２００４−１０１３９８号公報
【特許文献２】特開２０１５−０７８５５４号公報
【発明の概要】
【発明が解決しようとする課題】
【０００６】
上記のように、特許文献１〜２に記載されている技術は、いずれも橋梁にセンサを設置することによって橋梁に関するデータを取得し、橋梁の劣化状況を把握する技術である。しかし、全国には老朽化した橋梁が多く存在するため、全ての老朽化した橋梁へのセンサの設置には膨大なコストがかかる。また、橋梁の劣化への対処のために割り当てられる、予算や人員などのリソースは限られている。
【０００７】
全国に老朽化した橋梁が膨大に存在することを考慮すると、コストを大きくかけずに劣化が生じている橋梁を検出することが望まれている。
【０００８】
そこで、本発明は、コストを大きくかけずに勾配の経時変化量が存在する場所を抽出できる抽出システム、抽出サーバ、抽出方法、および抽出プログラムを提供することを目的とする。
【課題を解決するための手段】
【０００９】
本発明による抽出システムは、車両に設置される車載端末と、車載端末と通信可能に接続されているサーバとを備えた抽出システムであって、車載端末は、車両が走行した場合の、当該車両が走行した場所の勾配を示す勾配情報を取得する取得部と、取得された勾配情報をサーバに送信する送信部とを含み、サーバは、車載端末から送信された勾配情報に基づいて、経時変化量が所定値を超える勾配情報に対応する場所を抽出する抽出部を含むことを特徴とする。
【００１０】
本発明による抽出サーバは、車両に設置された車載端末と通信可能に接続されている抽出サーバであって、車載端末から送信された、車両が走行した場合の、当該車両が走行した場所の勾配を示す勾配情報に基づいて、経時変化量が所定値を超える勾配情報に対応する場所を抽出する抽出部を含むことを特徴とする。
【００１１】
本発明による抽出方法は、車両に設置される車載端末と、車載端末と通信可能に接続されているサーバとを備えた抽出システムにおいて実行される抽出方法であって、車載端末は、車両が走行した場合の、当該車両が走行した場所の勾配を示す勾配情報を取得し、車載端末は、取得された勾配情報をサーバに送信し、サーバは、車載端末から送信された勾配情報に基づいて、経時変化量が所定値を超える勾配情報に対応する場所を抽出することを特徴とする。
【００１２】
本発明による抽出方法は、車両に設置された車載端末と通信可能に接続されている抽出サーバにおいて実行される抽出方法であって、車載端末から送信された、車両が走行した場合の、当該車両が走行した場所の勾配を示す勾配情報に基づいて、経時変化量が所定値を超える勾配情報に対応する場所を抽出することを特徴とする。
【００１３】
本発明による抽出プログラムは、車両に設置された車載端末と通信可能に接続されているコンピュータにおいて実行される抽出プログラムであって、コンピュータに、車載端末から送信された、車両が走行した場合の、当該車両が走行した場所の勾配を示す勾配情報に基づいて、経時変化量が所定値を超える勾配情報に対応する場所を抽出する抽出処理を実行させることを特徴とする。
【発明の効果】
【００１４】
本発明によれば、コストを大きくかけずに勾配の経時変化量が存在する場所を抽出できる。
【図面の簡単な説明】
【００１５】
【図１】本発明による抽出システムの構成例を示すブロック図である。
【図２】劣化橋梁診断システム１００の第１の実施形態の構成例を示すブロック図である。
【図３】橋梁の勾配の推定に使用される測定値の具体例を示す説明図である。
【図４】劣化表示部３５０による表示の内容の一例を示す説明図である。
【図５】劣化表示部３５０による表示の内容の他の一例を示す説明図である。
【図６】第１の実施形態の劣化橋梁診断システム１００による劣化橋梁診断処理の動作を示すフローチャートである。
【図７】劣化橋梁診断システム１００の第２の実施形態の構成例を示すブロック図である。
【図８】第２の実施形態の劣化橋梁診断システム１００による劣化橋梁診断処理の動作を示すフローチャートである。
【図９】劣化橋梁診断システム１００の第３の実施形態の構成例を示すブロック図である。
【図１０】第３の実施形態の劣化橋梁診断システム１００による劣化橋梁診断処理の動作を示すフローチャートである。
【図１１】劣化橋梁診断システム１００の第４の実施形態の構成例を示すブロック図である。
【図１２】第４の実施形態の劣化橋梁診断システム１００による劣化橋梁診断処理の動作を示すフローチャートである。
【図１３】本発明による車載端末のハードウェア構成例を示す説明図である。
【図１４】本発明によるデータ解析サーバのハードウェア構成例を示す説明図である。
【図１５】本発明による抽出システムの概要を示すブロック図である。
【図１６】本発明による抽出サーバの概要を示すブロック図である。
【発明を実施するための形態】
【００１６】
［構成の説明］
以下、本発明の実施形態を、図面を参照して説明する。図１は、本発明による抽出システムの構成例を示すブロック図である。以下の説明では、抽出システムを橋梁の劣化を診断する際に用いる場合について例示するため、抽出システムを劣化橋梁診断システム１００として説明する。
【００１７】
図１に示すように、劣化橋梁診断システム１００は、車載端末２０１〜２０Ｎと、データ解析サーバ３００とを含む。車載端末２０１〜２０Ｎは、データ解析サーバ３００と通信できる。車載端末２０１〜２０Ｎは、例えば、スマートフォン、タブレット型端末、カーナビゲーションシステムである。
【００１８】
劣化橋梁診断システム１００は、車両の日常的な走行を利用して劣化橋梁を抽出する。図１に示すように、車載端末２０１〜２０Ｎは、それぞれ異なる車両に設置される。車両は、例えばトラックなどの、橋梁の劣化を引き起こす大型自動車である。
【００１９】
例えば、大型自動車などが劣化した橋梁を走行する場合、橋梁の中央部は、負荷がかけられていない場合に比べて沈降する場合がある。また、形状がかまぼこ型の劣化した橋梁であれば、大型自動車が橋梁を走行する場合、橋梁のかまぼこ型は、平坦になる場合や凹型になる場合がある。
【００２０】
車載端末２０１〜２０Ｎは、例えば設置された車両が橋梁を走行している場合に、自重により生じる橋梁の沈降の度合いを示すデータを計測し、端末内に記録する。劣化橋梁診断システム１００は、橋梁の沈降の度合いを示すデータとして、車両が橋梁を走行した時の橋梁の勾配を用いる。
【００２１】
車載端末２０１〜２０Ｎは、記録されたデータをデータ解析サーバ３００に送信する。データ解析サーバ３００は、車載端末２０１〜２０Ｎから送信されたデータを受信し、橋梁の劣化に関するデータを収集する。
【００２２】
なお、データ解析サーバ３００は、車載端末２０１〜２０Ｎから送信されたデータを受信する以外にも、車載端末２０１〜２０Ｎのデータが記録されたメモリカードから橋梁の劣化に関するデータを収集してもよい。メモリカードが使用される場合、ユーザが定期的に車載端末２０１〜２０Ｎからメモリカードを回収し、データ解析サーバ３００にメモリカードに記録されている内容を読み取らせる。
【００２３】
多数の大型自動車に車載端末が取り付けられることによって、データ解析サーバ３００は、各大型自動車が日常的に走行する範囲内に存在する各橋梁に関して、橋梁の劣化に関する統計的なデータを取得できる。
【００２４】
例えば、データ解析サーバ３００は、収集されたデータを用いて、橋梁ごとに勾配の経年変化量や経月変化量を取得できる。また、データ解析サーバ３００は、所定の範囲内で勾配の変化量が最も大きい橋梁を抽出できる。抽出された橋梁は監視対象の候補になり、多くのデータを取得できるセンサの設置が予定される。
【００２５】
また、橋梁の沈降量は、走行する車両の自重や荷重、同時に橋梁を走行する他の車両の存在に依存するため、個々の計測値にばらつきが見られる。しかし、データ解析サーバ３００は、多数の車載端末が計測した橋梁の劣化に関するデータを収集するため、多くのデータに基づいた誤差の小さい統計的データを導出できる。
【００２６】
上記のように、劣化橋梁診断システム１００は、個々の橋梁にセンサが設置されなくとも、劣化度合いの大きい橋梁を抽出できる。すなわち、劣化橋梁診断システム１００は、コストを大きくかけずに劣化した橋梁を抽出できる。
【００２７】
図２は、劣化橋梁診断システム１００の第１の実施形態の構成例を示すブロック図である。図２に示すように、車載端末２０１〜２０Ｎは、ネットワーク４００を介してデータ解析サーバ３００と通信可能に接続されている。ネットワーク４００は、例えば、３ＧやＬＴＥ（Ｌｏｎｇ  Ｔｅｒｍ  Ｅｖｏｌｕｔｉｏｎ）などの携帯電話通信網である。
【００２８】
以下、車載端末２０１〜２０Ｎのうち、車載端末２０１の構成を説明する。図２に示すように、車載端末２０１は、位置検出部２１１と、加速度検出部２２１と、車高検出部２３１と、勾配推定部２４１と、データ記録部２５１と、データ送信部２６１とを含む。なお、車載端末２０２〜２０Ｎの構成は、車載端末２０１の構成と同様である。
【００２９】
位置検出部２１１は、車載端末２０１の現在位置や時刻情報などを常時計測する機能を有する。位置検出部２１１は、例えば、ＧＰＳ（Ｇｌｏｂａｌ  Ｐｏｓｉｔｉｏｎｉｎｇ  Ｓｙｓｔｅｍ）を利用して、車載端末２０１の現在位置を計測する。
【００３０】
加速度検出部２２１は、車載端末２０１の上下方向の加速度を常時計測する機能を有する。車載端末２０１は車両に固定されているため、車載端末２０１の上下方向の加速度は、設置されている車両の上下方向の加速度に相当する。加速度検出部２２１は、例えば、加速度計を用いて上下方向の加速度を計測する。
【００３１】
加速度検出部２２１は、計測された上下方向の加速度に基づいて、車載端末２０１の路面からの高さ（以下、車載端末の絶対高という。）を推定する。車両が走行している橋梁が沈降していれば、加速度を用いる方法で推定される車載端末の絶対高には、橋梁の沈降の影響が反映される。加速度検出部２２１は、例えば、計測された加速度を重積分することによって、車載端末２０１の絶対高を推定する。
【００３２】
なお、上記で加速度検出部２２１は車載端末２０１の路面からの高さを推定すると説明したが、加速度検出部２２１が推定する高さは路面からの高さに限定されない。例えば、加速度検出部２２１は、車載端末２０１の位置における海抜を推定してもよい。また、加速度検出部２２１は、高さ以外の値を推定してもよく、例えば、車載端末２０１の所定の地点（位置）からの距離を推定してもよい。
【００３３】
絶対高の推定に用いられた加速度の計測時間が長くなると、計測誤差が累積するため、絶対高の推定精度は悪化する。しかし、本実施形態における加速度の計測時間は、橋梁の通過時間など、比較的短時間に限られる。短時間の間に計測された加速度を用いて推定された絶対高と、同じ方法で推定された車両が橋梁に進入する前の絶対高とが比較されるため、本実施形態において累積誤差は比較結果に大きな影響を及ぼさないと考えられる。
【００３４】
なお、加速度検出部２２１は、車載端末２０１の前後方向の加速度および左右方向の加速度も計測する。加速度検出部２２１は、上下方向の加速度に基づいて絶対高を推定する際、上下方向の加速度が計測された期間に計測された前後方向の加速度の値および左右方向の加速度の値を参照する。
【００３５】
計測された前後方向の加速度の値および左右方向の加速度の値が０である、すなわち車両が前後方向および左右方向に加速または減速をしていない場合、加速度検出部２２１は、上下方向の加速度をそのまま用いて絶対高を推定する。
【００３６】
計測された前後方向の加速度の値が０でない、すなわち車両が前後方向に加速または減速をしている場合、加速度検出部２２１は、前後方向の加速度が０でない期間に計測された上下方向の加速度のデータを、絶対高の推定に用いない対象外のデータとする。加速度検出部２２１は、例えば、前後方向の加速度が０でない期間に計測された上下方向の加速度のデータに、対象外のデータであることを示す識別情報を付与する。
【００３７】
その理由は、例えば、前後方向に加速度が生じている場合、運転手がブレーキペダルやアクセルペダルを操作することによって、車両を減速または加速させている可能性がある。すなわち、前後方向に加速度が生じている場合、推定された車載端末の絶対高には路面からの高さ以外の要素が含まれており、推定された車載端末の絶対高は路面からの高さに相当しないと考えられるためである。
【００３８】
また、計測された左右方向の加速度の値が０でない、すなわち車両が左右方向に加速または減速をしている場合、加速度検出部２２１は、左右方向の加速度が０でない期間に計測された上下方向の加速度のデータを、絶対高の推定に用いない対象外のデータとする。加速度検出部２２１は、例えば、左右方向の加速度が０でない期間に計測された上下方向の加速度のデータに、対象外のデータであることを示す識別情報を付与する。
【００３９】
その理由は、例えば、左右方向に加速度が生じている場合、車両がカーブしている橋梁を走行している可能性がある。橋梁がカーブしていると走行する時車体に遠心力がかかり、左右方向に加速度が生じるためである。すなわち、左右方向に加速度が生じている場合、推定された車載端末の絶対高には路面からの高さ以外の要素が含まれており、推定された車載端末の絶対高は路面からの高さに相当しないと考えられるためである。
【００４０】
なお、計測された前後方向の加速度の値および左右方向の加速度の値が０でない場合であっても、実質的に車両が前後方向および左右方向に加速または減速をしていないと考えられる場合（例えば、加速度の値が略０である場合）であれば、加速度検出部２２１は、対応する期間に計測された上下方向の加速度を用いて絶対高を推定してもよい。
【００４１】
車高検出部２３１は、路面から車載端末２０１が搭載されている車両の車体下部までの距離（以下、路面との相対車高という。）を常時計測する機能を有する。車高検出部２３１は、例えば、超音波センサを用いて路面との相対車高を計測する。路面との相対車高は、例えば、最低地上高である。
【００４２】
車高検出部２３１は、所定の期間に計測された相対車高から、過去に計測された相対車高の平均値を減算する。過去に計測された相対車高は、例えば、橋梁の沈降の影響などが反映されていない平常時の相対車高である。平常時の相対車高を減算することによって、車高検出部２３１は、所定の期間における車両の懸架装置（サスペンション）の上下方向の振動幅を算出する。
【００４３】
なお、平常時の相対車高は、比較的短い周期で更新される値である。すなわち、平常時の相対車高には、例えば、車両の積荷の積載状況も反映される。車高検出部２３１は、比較的最近の移動平均値（例えば、現在から１時間前までのデータの移動平均値）である平常時の相対車高を、過去に計測された相対車高の平均値として用いる。
【００４４】
勾配推定部２４１は、所定の期間に車両が走行した路面の勾配を推定する機能を有する。勾配推定部２４１は、加速度検出部２２１が推定した車載端末２０１の絶対高から、車高検出部２３１が算出した懸架装置の上下方向の振動幅を減算する。
【００４５】
懸架装置の上下方向の振動幅を減算する理由は、路面の凹凸などに起因する懸架装置による車両の上下方向の動作への影響を、推定された車載端末の絶対高から取り除くためである。懸架装置による影響を推定された車載端末の絶対高から取り除くことによって、勾配推定部２４１は、推定された車載端末の絶対高を補正する。
【００４６】
次いで、勾配推定部２４１は、補正された車載端末２０１の絶対高を、過去に推定された短時間にわたる車載端末２０１の絶対高の平均値から減算する。過去に推定された車載端末の絶対高は、例えば、橋梁の沈降の影響などが反映されていない橋梁の進入前の平常時の絶対高である。
【００４７】
勾配推定部２４１は、測定対象の橋梁に対して、例えば、橋梁の所定区間ごとに上記処理を行う。勾配推定部２４１は、対象の橋梁の端から端にかけて上記処理を行った後、算出結果を用いて、橋梁の勾配を推定する。
【００４８】
橋梁の勾配の推定方法の具体例を、図３を参照して説明する。図３は、橋梁の勾配の推定に使用される測定値の具体例を示す説明図である。
【００４９】
図３に示す高さＡは、車両が橋梁区間に進入する前の、車両に設置された車載端末２０１の絶対高の平均値を示す。高さＡは、加速度検出部２２１により推定される。推定された高さＡには、所定量の累積誤差が含まれる。
【００５０】
図３に示す高さＢは、車両が橋梁区間を走行している時の、車両に設置された車載端末２０１の絶対高を示す。高さＢは、加速度検出部２２１により推定される。推定された高さＢには、所定量の累積誤差が含まれる。
【００５１】
図３に示すように、車両が橋梁区間内に存在する時、車両の懸架装置が上下方向に振動する。すなわち、図３に示す高さＡから高さＢが減算された幅Ｃには、懸架装置が上下方向に振動した幅である振動幅が含まれている。よって、本実施形態において橋梁の沈降量を求める際、単に絶対高の差分をとるだけでなく、懸架装置の振動幅も考慮することが求められる。
【００５２】
図３に示す高さＤは、車両が橋梁区間に進入する前の、路面との相対車高の平均値を示す。また、図３に示す高さＥは、車両が橋梁区間を走行している時の、路面との相対車高を示す。高さＤおよび高さＥは、車高検出部２３１により計測される、車載端末２０１から垂直に降下した場所付近の相対車高である。車高検出部２３１は、Ｅ−Ｄの計算を行うことによって、車両が橋梁区間を走行している時の、車両の懸架装置の上下方向の振動幅を算出する。
【００５３】
次いで、勾配推定部２４１は、加速度検出部２２１が推定した車載端末２０１の絶対高である高さＢから、車高検出部２３１が算出した懸架装置の上下方向の振動幅（Ｅ−Ｄ）を減算する。
【００５４】
次いで、勾配推定部２４１は、減算された車載端末２０１の絶対高を、過去に推定された短時間にわたる車載端末２０１の絶対高の平均値である高さＡから減算する。すなわち、勾配推定部２４１は、Ａ−（Ｂ−（Ｅ−Ｄ））の計算を行い、計算結果と対応する車両の走行距離などを用いて橋梁の勾配を推定する。
【００５５】
データ記録部２５１は、勾配推定部２４１が推定した勾配の情報を記録する機能を有する。データ記録部２５１は、勾配の推定に使用されたデータが計測された期間に位置検出部２１１が計測した位置情報および時刻情報を、勾配情報と対応付けて記録する。
【００５６】
データ送信部２６１は、データ記録部２５１に対応付けて記録されている勾配情報、位置情報、および時刻情報を、ネットワーク４００を介してデータ解析サーバ３００に所定の間隔で送信する機能を有する。勾配情報の推定および送信が各車載端末で繰り返し実施されることによって、各大型自動車の走行履歴に対応する勾配情報が収集される。
【００５７】
次に、データ解析サーバ３００の構成を説明する。図２に示すように、データ解析サーバ３００は、データ受信部３１０と、橋梁抽出部３２０と、橋梁記憶部３３０と、劣化診断部３４０と、劣化表示部３５０とを含む。
【００５８】
データ受信部３１０は、車載端末２０１〜２０Ｎから併せて送信された勾配情報、位置情報、および時刻情報を受信する機能を有する。
【００５９】
橋梁抽出部３２０は、データ受信部３１０が受信した位置情報を用いて、位置情報に対応付けられた勾配情報が対応する橋梁の情報を抽出する機能を有する。橋梁記憶部３３０には橋梁の識別情報や位置情報が記憶されている。橋梁抽出部３２０は、受信された位置情報に対応する橋梁記憶部３３０に記憶されている位置情報を探索し、データ受信部３１０が受信した勾配情報に対応する橋梁を決定する。
【００６０】
対応する橋梁を決定した後、橋梁抽出部３２０は、データ受信部３１０が併せて受信した勾配情報と時刻情報を、決定された橋梁の勾配履歴データとして橋梁記憶部３３０に保存する。
【００６１】
橋梁記憶部３３０は、各橋梁の勾配履歴データを蓄積する機能を有する。勾配履歴データには少なくとも、橋梁の識別情報、橋梁の位置情報、橋梁の勾配情報、および勾配情報が取得された年月日や時刻を示す時刻情報が含まれる。各車載端末から送信されたデータに対して橋梁抽出部３２０が上記作業を繰り返し実施することによって、橋梁記憶部３３０には、各橋梁の勾配履歴データが蓄積される。
【００６２】
劣化診断部３４０は、所定の周期で橋梁記憶部３３０に蓄積されている勾配履歴データに基づいて、各橋梁を診断する機能を有する。所定の周期は、例えば１週間である。
【００６３】
診断する際、劣化診断部３４０は、例えば、橋梁記憶部３３０に記憶されている勾配情報のうち、取得された時間が近い複数の勾配情報を用いて、勾配の平均値を算出する。平均値が算出されることによって、勾配情報が示す勾配に含まれる個々の車両や計測条件の違いなどによる誤差の影響が小さくなる。
【００６４】
劣化診断部３４０は、例えば、各橋梁の勾配の経時変化の様子を確認することによって、各橋梁を診断する。具体的には、劣化診断部３４０は、勾配の経時変化の最新の傾向と、勾配の経時変化の過去の傾向とを比較する。
【００６５】
劣化診断部３４０は、例えば、各橋梁の勾配の経時変化量が、過去の経時変化量の分散値を超えているか否かを確認する。過去の経時変化量の分散値を超えている場合、劣化診断部３４０は、劣化表示部３５０に対して、対象の橋梁および橋梁の劣化状況を示す内容を表示させる指示を出力する。
【００６６】
劣化表示部３５０は、ユーザに対して劣化橋梁および劣化状況を示す内容を表示する機能を有する。劣化表示部３５０は、例えば、劣化診断部３４０から通知された橋梁の劣化に対する注意をユーザに喚起するように表示する。
【００６７】
図４は、劣化表示部３５０による表示の内容の一例を示す説明図である。図４に示すように、劣化表示部３５０は、ユーザに通知しなければならない内容を一覧で表示してもよい。図４に示すように、表示内容には、例えば、橋梁名、劣化レベル、橋梁の所在地が含まれる。
【００６８】
劣化レベルは、例えば、劣化診断部３４０が勾配の経時変化量に応じて判定したレベルである。なお、劣化表示部３５０は、他の方法で橋梁の劣化状況を示してもよい。また、表示内容には、最終診断日や劣化が最初に確認された年月日など、他の情報が含まれていてもよい。
【００６９】
図５は、劣化表示部３５０による表示の内容の他の一例を示す説明図である。図５に示すように、劣化表示部３５０は、ユーザに通知しなければならない劣化橋梁を地図上に表示してもよい。
【００７０】
図５に示すように、劣化表示部３５０は、例えば、指定された範囲に対応する地図上の橋梁のうち、劣化度合いの大きい橋梁を、ユーザに分かるように強調して表示する。なお、劣化表示部３５０は、他の方法で劣化橋梁を地図上に表示してもよい。
【００７１】
［動作の説明］
以下、本実施形態の劣化橋梁診断システム１００の動作を図６を参照して説明する。図６は、第１の実施形態の劣化橋梁診断システム１００による劣化橋梁診断処理の動作を示すフローチャートである。なお、本例では車載端末２０１の動作を説明するが、他の車載端末の動作も車載端末２０１の動作と同様である。
【００７２】
車載端末２０１が設置されている車両が走行中、橋梁区間に進入したとする。加速度検出部２２１は、計測された車載端末２０１の上下方向の加速度から、車両が橋梁区間に進入する前の車載端末２０１の絶対高の平均値を算出する（ステップＳ１０１）。
【００７３】
次いで、加速度検出部２２１は、計測された車載端末２０１の上下方向の加速度から、車両が橋梁区間を走行している時の、車載端末２０１の絶対高を推定する（ステップＳ１０２）。
【００７４】
次いで、車高検出部２３１は、車両が橋梁区間に進入する前に計測された路面との相対車高と、車両が橋梁区間を走行している時に計測された路面との相対車高から、車両が橋梁区間を走行している時の、車両の懸架装置の振動幅を算出する（ステップＳ１０３）。
【００７５】
次いで、勾配推定部２４１は、推定された車載端末２０１の絶対高、および算出された懸架装置の振動幅を用いて、橋梁の勾配を推定する（ステップＳ１０４）。
【００７６】
次いで、データ記録部２５１は、勾配の推定に使用されたデータが計測された期間に位置検出部２１１が計測した位置情報および時刻情報を、推定された勾配を示す勾配情報と対応付けて記録する（ステップＳ１０５）。
【００７７】
データ送信部２６１は、データ記録部２５１に対応付けて記録されている勾配情報、位置情報、および時刻情報を、所定の間隔でデータ解析サーバ３００に送信する（ステップＳ１０６）。
【００７８】
データ受信部３１０は、車載端末２０１〜２０Ｎからそれぞれ併せて送信された勾配情報、位置情報、および時刻情報を受信する（ステップＳ１０７）。
【００７９】
次いで、橋梁抽出部３２０は、橋梁記憶部３３０に記憶されている勾配履歴データが示す橋梁のうち、データ受信部３１０が受信した勾配情報に対応する橋梁を決定する。対応する橋梁を決定した後、橋梁抽出部３２０は、データ受信部３１０が併せて受信した勾配情報と時刻情報を、決定された橋梁の勾配履歴データとして橋梁記憶部３３０に保存する（ステップＳ１０８）。
【００８０】
劣化診断部３４０は、橋梁記憶部３３０に記憶されている勾配履歴データに基づいて、各橋梁を診断する（ステップＳ１０９）。劣化度合いが所定の基準を超える橋梁が確認された場合、劣化診断部３４０は、劣化表示部３５０に対して、劣化橋梁および劣化状況を示す内容を表示させる指示を出力する。
【００８１】
劣化表示部３５０は、劣化診断部３４０から出力された指示に基づいて、ユーザに対して劣化橋梁および劣化状況を示す内容を表示する（ステップＳ１１０）。表示された後、劣化橋梁診断システム１００は、劣化橋梁診断処理を終了する。
【００８２】
本実施形態の劣化橋梁診断システムは、コストを大きくかけずに劣化した橋梁を抽出できる。その理由は、大型自動車が通常通り走行する間に、大型自動車に設置された車載端末が、大型自動車が通過した橋梁の勾配を推定し、データ解析サーバに勾配情報を送信するためである。すなわち、各橋梁にセンサを設置することなく橋梁の劣化状況を把握できるため、劣化橋梁診断システムは、劣化橋梁の抽出に要するコストを低減させる。
【００８３】
また、本実施形態の勾配推定部は、車両の懸架装置による影響を考慮して橋梁の勾配を推定するため、単に平らな場所における車載端末の絶対高と橋梁における車載端末の絶対高との差分をとって勾配を推定する方法に比べて、誤差の小さい勾配を推定できる。
【００８４】
実施形態２．
［構成の説明］
次に、本発明の第２の実施形態を、図面を参照して説明する。図７は、劣化橋梁診断システム１００の第２の実施形態の構成例を示すブロック図である。
【００８５】
図７に示すように、本実施形態の劣化橋梁診断システム１００の車載端末２０１は、図２に示す車載端末２０１と異なり、車高検出部２３１の代わりに前方撮影部２７１が含まれている。前方撮影部２７１以外の図７に示す劣化橋梁診断システム１００の構成は、図２に示す劣化橋梁診断システム１００の構成と同様である。前方撮影部２７１は、車両の進行方向の映像を常時撮影する機能を有する。
【００８６】
本実施形態では、車両の懸架装置の上下方向の振動幅が、前方撮影部２７１が撮影した映像から算出される。前方撮影部２７１は、所定期間の懸架装置の上下方向の振動幅を求めるように指示された際、所定期間内の映像および所定期間の直前の映像に対して、垂直方向に相関処理を行う。前方撮影部２７１は、相関処理により相関ピーク位置のずれ幅を求める。
【００８７】
例えば、垂直方向に画像を相関処理すると、相関ピーク位置の変位より、２つの画像間において垂直方向にずれた画素のずれ幅が分かる。また、車両の懸架装置が上下方向に振動することによって、前方撮影部２７１により撮影される映像も、上下方向に振動する。
【００８８】
すなわち、映像の相関処理において相関のピークをとる垂直方向のずれ幅が、車両の懸架装置の上下方向の振動幅であると考えられる。本実施形態の勾配推定部２４１は、前方撮影部２７１が上記の方法で求めた相関のピークをとる垂直方向のずれ幅を、車両の懸架装置の上下方向の振動幅として扱う。
【００８９】
なお、超音波センサなどで相対車高を直接計測する場合とは異なり、画像の上下方向での相関処理自体では、現在と過去の画像間でのピーク位置のずれ量、すなわち、上下間における相対的な変位量しか計測されない。
【００９０】
具体的に説明すると、相対車高を直接計測する場合、所定期間の測定値を平均化すれば、平常時の相対車高が得られる。一方、画像の上下方向での相関処理において、ピーク位置のずれ量を平均化すると、ピーク位置のずれ量はゼロになる。
【００９１】
そこで、ピーク位置のずれ量の変化がほぼゼロの区間を意図的に選ぶ方法がある。この方法では、前方撮影部２７１は、選ばれた区間を、懸架装置による車体の上下動がない区間、すなわち、凹凸などの影響がなく、相対車高が通常値である区間と見なす。
【００９２】
車両が選ばれた区間を通過した後からピーク位置のずれ量を積分することによって、前方撮影部２７１は、車高の懸架装置による上下動を算出できる。このような動作を連続的に行うことによって、前方撮影部２７１は、ピーク位置のずれ量の変化のみを用いて、相対車高の通常値からのずれ幅を算出できる。なお、画素単位で算出されるピーク位置のずれ量を車体の懸架装置による上下動の幅に換算する尺度は、センサ設置時に較正して求めればよい。
【００９３】
［動作の説明］
以下、本実施形態の劣化橋梁診断システム１００の動作を図８を参照して説明する。図８は、第２の実施形態の劣化橋梁診断システム１００による劣化橋梁診断処理の動作を示すフローチャートである。なお、本例では車載端末２０１の動作を説明するが、他の車載端末の動作も車載端末２０１の動作と同様である。
【００９４】
ステップＳ２０１〜Ｓ２０２の処理は、図６に示すステップＳ１０１〜Ｓ１０２の処理と同様である。
【００９５】
前方撮影部２７１は、車両が橋梁区間を走行している時に撮影した映像を用いて、車両が橋梁区間を走行している時の、車両の懸架装置の振動幅を算出する（ステップＳ２０３）。
【００９６】
ステップＳ２０４〜Ｓ２１０の処理は、図６に示すステップＳ１０４〜Ｓ１１０の処理と同様である。
【００９７】
本実施形態の勾配推定部は、前方撮影部が算出した車両の懸架装置の振動幅を用いて、橋梁の勾配を推定する。よって、本実施形態の劣化橋梁診断システムは、車載端末が路面との相対車高を計測する構成要素を備えていなくても、車両の懸架装置による影響が排除された橋梁の勾配を推定できる。
【００９８】
実施形態３．
［構成の説明］
次に、本発明の第３の実施形態を、図面を参照して説明する。図９は、劣化橋梁診断システム１００の第３の実施形態の構成例を示すブロック図である。
【００９９】
図９に示すように、本実施形態の劣化橋梁診断システム１００の車載端末２０１は、図２に示す車載端末２０１と異なり、車高検出部２３１の代わりに姿勢検出部２８１が含まれている。姿勢検出部２８１以外の図９に示す劣化橋梁診断システム１００の構成は、図２に示す劣化橋梁診断システム１００の構成と同様である。
【０１００】
姿勢検出部２８１は、車載端末２０１が設置された車両の前後方向の傾きを常時計測する機能を有する。姿勢検出部２８１は、例えば、姿勢計を用いて車両の傾きを計測する。
【０１０１】
車載端末２０１は車両に固定されているため、例えば、車両が前方に傾いた橋梁を走行する時、姿勢検出部２８１が計測する車両の前後方向の傾きは橋梁の勾配に相当する。本実施形態では、姿勢検出部２８１が橋梁の勾配に相当するデータを直接計測する。すなわち、姿勢検出部２８１が計測したデータが、そのまま勾配情報になる。
【０１０２】
また、本実施形態の加速度検出部２２１は、計測された前後方向の加速度、上下方向の加速度、および左右方向の加速度の情報に基づいて、加速度が生じている期間に計測された勾配情報に、対象外のデータであることを示す識別情報を付与する。
【０１０３】
その理由は、例えば、前後方向に加速度が生じている場合、運転手がブレーキペダルやアクセルペダルを操作することによって、車両を減速または加速させている可能性がある。また、例えば、上下方向に加速度が生じている場合、車両が橋梁内の凹凸を通過している可能性がある。また、例えば、左右方向に加速度が生じている場合、車両がカーブしている橋梁を走行している可能性がある。すなわち、加速度が生じている場合、計測された車両の前後方向の傾きには橋梁の勾配以外の要素が含まれており、計測された車両の傾きは橋梁の勾配に相当しないと考えられるためである。
【０１０４】
なお、計測された加速度の値が０でない場合であっても、実質的に車両が加速または減速をしていないと考えられる場合（例えば、加速度の値が略０である場合）であれば、加速度検出部２２１は、対応する期間に計測された勾配情報に、対象外のデータであることを示す識別情報を付与しなくてもよい。
【０１０５】
また、本実施形態の勾配推定部２４１は、計測された勾配情報のうち、対象外のデータであることを示す識別情報が付与されていない勾配情報を選択し、データ記録部２５１に記録する。識別情報が付与されている勾配情報は、無効データとして扱われる。
【０１０６】
［動作の説明］
以下、本実施形態の劣化橋梁診断システム１００の動作を図１０を参照して説明する。図１０は、第３の実施形態の劣化橋梁診断システム１００による劣化橋梁診断処理の動作を示すフローチャートである。なお、本例では車載端末２０１の動作を説明するが、他の車載端末の動作も車載端末２０１の動作と同様である。
【０１０７】
車載端末２０１が設置されている車両が走行中、橋梁区間に進入したとする。姿勢検出部２８１は、車両の前後方向の傾きを計測する（ステップＳ３０１）。
【０１０８】
次いで、加速度検出部２２１は、計測された車載端末２０１の前後方向の加速度および上下方向の加速度の情報を用いて、傾きが計測された期間に加速度が生じていたか否かを確認する（ステップＳ３０２）。加速度が生じていた場合、加速度検出部２２１は、計測された勾配情報に、対象外のデータであることを示す識別情報を付与する。
【０１０９】
次いで、勾配推定部２４１は、計測された勾配情報のうち、識別情報が付与されていない勾配情報を選択し、データ記録部２５１に記録する。データ記録部２５１は、車両の前後方向の傾きが計測された期間に位置検出部２１１が計測した位置情報および時刻情報を、勾配情報と対応付けて記録する（ステップＳ３０３）。
【０１１０】
ステップＳ３０４〜Ｓ３０８の処理は、図６に示すステップＳ１０６〜Ｓ１１０の処理と同様である。
【０１１１】
本実施形態の勾配推定部は、加速度検出部が計測した加速度情報に基づいて、車両が加速していない時に姿勢検出部が計測した車両の前後方向の傾きを橋梁の勾配とする。よって、橋梁の勾配が直接求められるため、第１の実施形態や第２の実施形態に比べて、本実施形態の劣化橋梁診断システムが収集する橋梁の勾配に含まれる誤差はさらに小さい。
【０１１２】
実施形態４．
［構成の説明］
次に、本発明の第４の実施形態を、図面を参照して説明する。図１１は、劣化橋梁診断システム１００の第４の実施形態の構成例を示すブロック図である。
【０１１３】
図１１に示すように、本実施形態の劣化橋梁診断システム１００の車載端末２０１は、図２に示す車載端末２０１と異なり、車高検出部２３１が含まれていない。車高検出部２３１以外の図１１に示す劣化橋梁診断システム１００の構成は、図２に示す劣化橋梁診断システム１００の構成と同様である。
【０１１４】
本実施形態の勾配推定部２４１は、加速度検出部２２１が推定した車載端末２０１の絶対高に対して、数秒周期の短時間移動平均処理を実施する。短時間移動平均処理が実施されることによって、推定された車載端末２０１の絶対高から、懸架装置の上下方向の振動の影響が排除される。
【０１１５】
その理由は、通常懸架装置の上下方向の振動は２〜３秒程度で収束する。よって、車載端末の絶対高に対して数秒周期で移動平均処理を実施した場合、絶対高に含まれる懸架装置の上下方向の振動幅が０になると考えられるためである。勾配推定部２４１は、移動平均処理後の車載端末２０１の絶対高を、過去に推定された短時間にわたる車載端末２０１の絶対高の平均値から減算する。
【０１１６】
［動作の説明］
以下、本実施形態の劣化橋梁診断システム１００の動作を図１２を参照して説明する。図１２は、第４の実施形態の劣化橋梁診断システム１００による劣化橋梁診断処理の動作を示すフローチャートである。なお、本例では車載端末２０１の動作を説明するが、他の車載端末の動作も車載端末２０１の動作と同様である。
【０１１７】
ステップＳ４０１〜Ｓ４０２の処理は、図６に示すステップＳ１０１〜Ｓ１０２の処理と同様である。
【０１１８】
勾配推定部２４１は、加速度検出部２２１が推定した車載端末２０１の絶対高に対して、数秒周期の短時間移動平均処理を実施する（ステップＳ４０３）。次いで、勾配推定部２４１は、移動平均処理後の車載端末２０１の絶対高を用いて、橋梁の勾配を推定する（ステップＳ４０４）。
【０１１９】
ステップＳ４０５〜Ｓ４１０の処理は、図６に示すステップＳ１０５〜Ｓ１１０の処理と同様である。
【０１２０】
本実施形態の勾配推定部は、加速度検出部が計測した加速度情報以外の計測情報を用いずに、懸架装置の上下方向の振動の影響が排除された橋梁の勾配を推定できる。よって、本実施形態の劣化橋梁診断システムは、第１〜第３の実施形態に比べてよりコストをかけずに誤差の小さい橋梁の勾配を収集できる。
【０１２１】
以下、車載端末２０１のハードウェア構成、およびデータ解析サーバ３００のハードウェア構成の具体例を説明する。図１３は、本発明による車載端末のハードウェア構成例を示す説明図である。図１４は、本発明によるデータ解析サーバのハードウェア構成例を示す説明図である。
【０１２２】
図１３に示す車載端末２０１は、ＣＰＵ（Ｃｅｎｔｒａｌ  Ｐｒｏｃｅｓｓｉｎｇ  Ｕｎｉｔ）２１と、主記憶部２２と、通信部２３と、補助記憶部２４とを備える。また、車載端末２０１は、人が操作するための入力部２５や、人に処理結果または処理内容の経過を提示するための出力部２６を備えてもよい。
【０１２３】
図１４に示すデータ解析サーバ３００は、ＣＰＵ３１と、主記憶部３２と、通信部３３と、補助記憶部３４とを備える。また、データ解析サーバ３００は、人が操作するための入力部３５や、人に処理結果または処理内容の経過を提示するための出力部３６を備えてもよい。
【０１２４】
主記憶部２２および主記憶部３２は、データの作業領域やデータの一時退避領域として用いられる。主記憶部２２および主記憶部３２は、例えばＲＡＭ（Ｒａｎｄｏｍ  Ａｃｃｅｓｓ  Ｍｅｍｏｒｙ）である。
【０１２５】
通信部２３および通信部３３は、有線または無線のネットワーク（情報通信ネットワーク）を介して、周辺機器との間でデータを入力および出力する機能を有する。
【０１２６】
補助記憶部２４および補助記憶部３４は、ハードディスク装置などの記憶装置である。補助記憶部２４および補助記憶部３４は、例えばＲＯＭ（Ｒｅａｄ  Ｏｎｌｙ  Ｍｅｍｏｒｙ）である。
【０１２７】
入力部２５および入力部３５は、データや処理命令を入力する機能を有する。入力部２５は、例えばタッチパネルである。入力部３５は、例えばキーボードやマウスである。
【０１２８】
出力部２６および出力部３６は、データを出力する機能を有する。出力部２６は、例えば液晶パネルである。出力部３６は、例えば液晶ディスプレイ装置などの表示装置、またはプリンタなどの印刷装置である。
【０１２９】
また、図１３に示すように、車載端末２０１において、各構成要素は、システムバス２７に接続されている。また、図１４に示すように、データ解析サーバ３００において、各構成要素は、システムバス３７に接続されている。
【０１３０】
補助記憶部２４は、例えば、位置検出部２１１、加速度検出部２２１、車高検出部２３１、勾配推定部２４１、前方撮影部２７１、および姿勢検出部２８１をそれぞれ実現するためのプログラムを記憶している。
【０１３１】
また、主記憶部２２は、例えば、データ記録部２５１の記憶領域として利用される。また、データ送信部２６１は、例えば、通信部２３を介して、勾配情報などを送信する。
【０１３２】
なお、車載端末２０１は、ハードウェアにより実現されてもよい。例えば、車載端末２０１は、内部に図２、図７、図９、図１１に示すような機能を実現するプログラムが組み込まれたＬＳＩ（Ｌａｒｇｅ  Ｓｃａｌｅ  Ｉｎｔｅｇｒａｔｉｏｎ）などのハードウェア部品が含まれる回路が実装されてもよい。
【０１３３】
また、車載端末２０１は、図１３に示すＣＰＵ２１が図２、図７、図９、図１１に示す各構成要素が有する機能を提供するプログラムを実行することによって、ソフトウェアにより実現されてもよい。
【０１３４】
ソフトウェアにより実現される場合、ＣＰＵ２１が補助記憶部２４に格納されているプログラムを、主記憶部２２にロードして実行し、車載端末２０１の動作を制御することによって、各機能がソフトウェアにより実現される。
【０１３５】
補助記憶部３４は、例えば、橋梁抽出部３２０、劣化診断部３４０、および劣化表示部３５０をそれぞれ実現するためのプログラムを記憶している。
【０１３６】
また、主記憶部３２は、例えば、橋梁記憶部３３０の記憶領域として利用される。また、データ受信部３１０は、例えば、通信部３３を介して、勾配情報などを受信する。
【０１３７】
なお、データ解析サーバ３００は、ハードウェアにより実現されてもよい。例えば、データ解析サーバ３００は、内部に図２、図７、図９、図１１に示すような機能を実現するプログラムが組み込まれたＬＳＩなどのハードウェア部品が含まれる回路が実装されてもよい。
【０１３８】
また、データ解析サーバ３００は、図１４に示すＣＰＵ３１が図２、図７、図９、図１１に示す各構成要素が有する機能を提供するプログラムを実行することによって、ソフトウェアにより実現されてもよい。
【０１３９】
ソフトウェアにより実現される場合、ＣＰＵ３１が補助記憶部３４に格納されているプログラムを、主記憶部３２にロードして実行し、データ解析サーバ３００の動作を制御することによって、各機能がソフトウェアにより実現される。
【０１４０】
次に、本発明の概要を説明する。図１５は、本発明による抽出システムの概要を示すブロック図である。本発明による抽出システム６０は、車両に設置される車載端末７０（例えば、車載端末２０１）と、車載端末７０と通信可能に接続されているサーバ８０（例えば、データ解析サーバ３００）とを備えた抽出システムであって、車載端末７０は、車両が走行した場合の、当該車両が走行した場所の勾配を示す勾配情報を取得する取得部７１（例えば、勾配推定部２４１）と、取得された勾配情報をサーバ８０に送信する送信部７２（例えば、データ送信部２６１）とを含み、サーバ８０は、車載端末７０から送信された勾配情報に基づいて、経時変化量が所定値を超える勾配情報に対応する場所を抽出する抽出部８１（例えば、劣化診断部３４０）を含む。
【０１４１】
そのような構成により、抽出システムは、コストを大きくかけずに勾配の経時変化量が存在する場所を抽出できる。
【０１４２】
また、車載端末７０は、車載端末７０の加速度を計測する加速度計測部（例えば、加速度検出部２２１）を含み、加速度計測部は、車両が走行している時に計測された垂直方向の加速度に基づいて、所定の位置から車載端末７０までの距離を算出し、取得部７１は、距離に基づいて勾配情報を取得してもよい。
【０１４３】
そのような構成により、抽出システムは、加速計を用いて橋梁の勾配を推定できる。
【０１４４】
また、加速度計測部は、車両が走行している時に計測された垂直方向の加速度に基づいて、当該車両が走行した場所の路面から車載端末７０までの高さを場所における絶対高として算出し、取得部７１は、傾斜している場所における絶対高と平らな場所における絶対高とを用いて勾配情報を取得してもよい。
【０１４５】
そのような構成により、抽出システムは、絶対高に基づいて橋梁の勾配を推定できる。
【０１４６】
また、車載端末７０は、車両が走行した場所の路面から車両の車体下部までの距離である相対車高を計測する距離計測部（例えば、車高検出部２３１）を含み、距離計測部は、傾斜している場所で計測された相対車高と平らな場所で計測された相対車高との差分を取得し、取得部７１は、勾配情報を取得する際に差分が減算された傾斜している場所における絶対高を用いてもよい。
【０１４７】
そのような構成により、抽出システムは、車両の懸架装置の振動の影響が排除された橋梁の勾配を推定できる。
【０１４８】
また、車載端末７０は、車両の進行方向の映像を撮影する撮影部（例えば、前方撮影部２７１）を含み、撮影部は、車両が走行している時に撮影された映像から、その映像が撮影された場所で垂直方向に移動した画素の移動量を算出し、取得部７１は、勾配情報を取得する際に移動量が減算された絶対高を用いてもよい。
【０１４９】
そのような構成により、抽出システムは、カメラで撮影された映像を用いることによって、車両の懸架装置の振動の影響が排除された橋梁の勾配を推定できる。
【０１５０】
また、取得部７１は、勾配情報を取得する際に移動平均処理が実施された絶対高を用いてもよい。
【０１５１】
そのような構成により、抽出システムは、コストをよりかけずに、車両の懸架装置の振動の影響が排除された橋梁の勾配を推定できる。
【０１５２】
また、車載端末７０は、車載端末７０の加速度を計測する加速度計測部（例えば、加速度検出部２２１）と、車両の前後方向の傾きを計測する姿勢計測部（例えば、姿勢検出部２８１）とを含み、取得部７１は、車両が走行した際に計測された傾きの情報のうち、計測された加速度が０である期間に計測された傾きの情報を勾配情報として取得してもよい。
【０１５３】
そのような構成により、抽出システムは、誤差が多く含まれていない橋梁の勾配を取得できる。
【０１５４】
また、サーバ８０は、抽出された場所の情報を表示する表示部（例えば、劣化表示部３５０）を含んでもよい。
【０１５５】
そのような構成により、抽出システムは、ユーザに対して劣化した橋梁を通知できる。
【０１５６】
また、表示部は、抽出された場所の情報と、抽出された場所の勾配情報の経時変化量に対応する内容を併せて表示してもよい。
【０１５７】
そのような構成により、抽出システムは、ユーザに対して劣化した橋梁と、橋梁の劣化状況を通知できる。
【０１５８】
また、表示部は、抽出された場所を、地図上に強調して表示してもよい。
【０１５９】
そのような構成により、抽出システムは、ユーザに対して劣化した橋梁の場所を分かりやすく通知できる。
【０１６０】
図１６は、本発明による抽出サーバの概要を示すブロック図である。本発明による抽出サーバ９０は、車両に設置された車載端末と通信可能に接続されている抽出サーバであって、車載端末から送信された、車両が走行した場合の、当該車両が走行した場所の勾配を示す勾配情報に基づいて、経時変化量が所定値を超える勾配情報に対応する場所を抽出する抽出部９１（例えば、劣化診断部３４０）を含む。
【０１６１】
そのような構成により、抽出サーバは、コストを大きくかけずに勾配の経時変化量が存在する場所を抽出できる。
【０１６２】
また、本発明による表示装置は、車載端末から取得した車両が走行した場所の勾配を示す勾配情報に基づいて、経時変化量が所定値を超える勾配情報に対応する場所を地図上に表示する表示装置でもよい。
【０１６３】
また、表示装置は、車載端末から取得した車両が走行した場所の勾配を示す勾配情報に基づいて、経時変化量が所定値を超える勾配情報に対応する場所を抽出する抽出部を備えていてもよい。
【産業上の利用可能性】
【０１６４】
本発明は、路面の傾斜の変化を把握できるため、劣化橋梁の診断の用途や、道路陥没または地盤沈下の検知の用途などに好適に適用可能である。
【符号の説明】
【０１６５】
２１、３１  ＣＰＵ
２２、３２  主記憶部
２３、３３  通信部
２４、３４  補助記憶部
２５、３５  入力部
２６、３６  出力部
６０  抽出システム
７０、２０１〜２０Ｎ  車載端末
７１  取得部
７２  送信部
８０  サーバ
８１、９１  抽出部
９０  抽出サーバ
１００  劣化橋梁診断システム
２１１  位置検出部
２２１  加速度検出部
２３１  車高検出部
２４１  勾配推定部
２５１  データ記録部
２６１  データ送信部
２７１  前方撮影部
２８１  姿勢検出部
３００  データ解析サーバ
３１０  データ受信部
３２０  橋梁抽出部
３３０  橋梁記憶部
３４０  劣化診断部
３５０  劣化表示部
４００  ネットワーク
【図１】
0006507911.tif 000002
【図２】
0006507911.tif 000003
【図３】
0006507911.tif 000004
【図４】
0006507911.tif 000005
【図５】
0006507911.tif 000006
【図６】
0006507911.tif 000007
【図７】
0006507911.tif 000008
【図８】
0006507911.tif 000009
【図９】
0006507911.tif 000010
【図１０】
0006507911.tif 000011
【図１１】
0006507911.tif 000012
【図１２】
0006507911.tif 000013
【図１３】
0006507911.tif 000014
【図１４】
0006507911.tif 000015
【図１５】
0006507911.tif 000016
【図１６】
0006507911.tif 000017